(57)【特許請求の範囲】
【請求項１】
呼び出し信号を発信するタグ呼び出しユニットと、該タグ呼び出しユニットから発信された前記呼び出し信号に対する無線タグからの返信信号を受信する携帯端末部とからなる情報受信システムであって、
前記携帯端末部は、無線信号を受信する無線信号受信手段と、
該無線信号受信手段により受信された前記無線信号の中から前記呼び出し信号を認識する呼び出し信号認識手段と、
該呼び出し信号認識手段により認識された前記呼び出し信号に引き続く前記無線信号を前記無線タグからの前記返信信号であると認識する返信信号認識手段とを具備することを特徴とする情報受信システム。
【請求項２】
前記タグ呼び出しユニットは、前記呼び出し信号に識別ＩＤを含ませて発信させ、
前記呼び出し信号認識手段は、前記呼び出し信号に含まれている識別ＩＤに基づいて自分宛の前記呼び出し信号であるか否かを認識することを特徴とする請求項１記載の情報受信システム。
【請求項３】
前記無線タグは、前記呼び出し信号に含まれている識別ＩＤを前記返信信号に含ませる機能を有し、
前記返信信号認識手段は、予め登録している登録ＩＤと前記返信信号に含まれている識別ＩＤとが一致した場合に、自分宛の前記返信信号であると認識することを特徴とする請求項１又は２記載の情報受信システム。
【請求項４】
タグ呼び出しユニットが発信した呼び出し信号に対する無線タグからの返信信号を受信する情報受信装置であって、
無線信号を受信する無線信号受信手段と、
該無線信号受信手段により受信された前記無線信号の中から前記呼び出し信号を認識する呼び出し信号認識手段と、
該呼び出し信号認識手段により認識された前記呼び出し信号に引き続く前記無線信号を前記無線タグからの前記返信信号であると認識する返信信号認識手段とを具備することを特徴とする情報受信装置。
【請求項５】
前記無線信号受信手段は、識別ＩＤが含まれている前記呼び出し信号を受信させ、
前記呼び出し信号認識手段は、予め登録している登録ＩＤと前記呼び出し信号に含まれている識別ＩＤとが一致した場合に、自分宛の前記呼び出し信号であると認識することを特徴とする請求項４記載の情報受信装置。
【請求項６】
前記無線信号受信手段は、識別ＩＤが含まれている前記返信信号を受信させ、
前記返信信号認識手段は、予め登録している登録ＩＤと前記返信信号に含まれている識別ＩＤとが一致した場合に、自分宛の前記返信信号であると認識することを特徴とする請求項４又は５記載の情報受信装置。
【請求項７】
タグ呼び出しユニットから発信された呼び出し信号に対する無線タグからの返信信号を受信する情報受信方法であって、
無線信号を受信し、
該受信した前記無線信号の中から前記呼び出し信号を認識し、
該認識した前記呼び出し信号に引き続く前記無線信号を前記無線タグからの前記返信信号であると認識することを特徴とする情報受信方法。
【発明の詳細な説明】
【０００１】
【発明の属する技術分野】
本発明は、提供される情報を受信する情報受信システムに関し、特に無線タグからの情報を受信する情報受信システムに関する。
【０００２】
【従来の技術】
駅構内等の地中に埋設された無線タグから位置情報を取得し、取得した位置情報に応じて利用者に案内情報を提供する案内システムが、特開２０００−２６２号公報に開示されている。
【０００３】
このような案内システムに使用される無線タグは、電磁誘導の原理で呼び出し信号からエネルギーの提供を得て、外部に位置情報を返信信号として送信する構成となっている。従って、無線タグから位置情報を得るためには、無線タグに対して呼び出し信号を発信するタグ呼び出しユニットと、無線タグからの返信信号を受信するデータ受信ユニットとが必要となる。従来、タグ呼び出しユニットとデータ受信ユニットとは、アンテナを共有した一体構成となっており、データ受信ユニットは、タグ呼び出しユニットから呼び出し信号の発信タイミングを受け取ることによって無線タグからの返信信号を受信するタイミングを計る構成となっている。
【０００４】
【発明が解決しようとする課題】
しかしながら、従来技術では、呼び出し信号の送信と返信信号の受信とを１つのアンテナで共用しているが、送信と受信のどちらでも使用できる様にするために物理的に大きなアンテナが必要となり、携帯性が損なわれるという問題点があった。
【０００５】
本発明は斯かる問題点を鑑みてなされたものであり、その目的とするところは、無線タグを呼び出す呼び出し信号を発信する呼び出しユニットと、無線タグからの返信信号を受信する携帯端末部とを分離することができ、携帯性を向上させることができる情報受信システムを提供する点にある。
【０００６】
【課題を解決するための手段】
本発明は上記課題を解決すべく、以下に掲げる構成とした。
請求項１記載の発明の要旨は、呼び出し信号を発信するタグ呼び出しユニットと、該タグ呼び出しユニットから発信された前記呼び出し信号に対する無線タグからの返信信号を受信する携帯端末部とからなる情報受信システムであって、前記携帯端末部は、無線信号を受信する無線信号受信手段と、該無線信号受信手段により受信された前記無線信号の中から前記呼び出し信号を認識する呼び出し信号認識手段と、該呼び出し信号認識手段により認識された前記呼び出し信号に引き続く前記無線信号を前記無線タグからの前記返信信号であると認識する返信信号認識手段とを具備することを特徴とする情報受信システムに存する。
また請求項２記載の発明の要旨は、前記タグ呼び出しユニットは、前記呼び出し信号に識別ＩＤを含ませて発信させ、前記呼び出し信号認識手段は、前記呼び出し信号に含まれている識別ＩＤに基づいて自分宛の前記呼び出し信号であるか否かを認識することを特徴とする請求項１記載の情報受信システムに存する。
また請求項３記載の発明の要旨は、前記無線タグは、前記呼び出し信号に含まれている識別ＩＤを前記返信信号に含ませる機能を有し、前記返信信号認識手段は、予め登録している登録ＩＤと前記返信信号に含まれている識別ＩＤとが一致した場合に、自分宛の前記返信信号であると認識することを特徴とする請求項１又は２記載の情報受信システムに存する。
また請求項４記載の発明の要旨は、タグ呼び出しユニットが発信した呼び出し信号に対する無線タグからの返信信号を受信する情報受信装置であって、無線信号を受信する無線信号受信手段と、該無線信号受信手段により受信された前記無線信号の中から前記呼び出し信号を認識する呼び出し信号認識手段と、該呼び出し信号認識手段により認識された前記呼び出し信号に引き続く前記無線信号を前記無線タグからの前記返信信号であると認識する返信信号認識手段とを具備することを特徴とする情報受信装置に存する。
また請求項５記載の発明の要旨は、前記無線信号受信手段は、識別ＩＤが含まれている前記呼び出し信号を受信させ、前記呼び出し信号認識手段は、予め登録している登録ＩＤと前記呼び出し信号に含まれている識別ＩＤとが一致した場合に、自分宛の前記呼び出し信号であると認識することを特徴とする請求項４記載の情報受信装置に存する。
また請求項６記載の発明の要旨は、前記無線信号受信手段は、識別ＩＤが含まれている前記返信信号を受信させ、前記返信信号認識手段は、予め登録している登録ＩＤと前記返信信号に含まれている識別ＩＤとが一致した場合に、自分宛の前記返信信号であると認識することを特徴とする請求項４又は５記載の情報受信装置に存する。
また請求項７記載の発明の要旨は、タグ呼び出しユニットから発信された呼び出し信号に対する無線タグからの返信信号を受信する情報受信方法であって、無線信号を受信し、該受信した前記無線信号の中から前記呼び出し信号を認識し、該認識した前記呼び出し信号に引き続く前記無線信号を前記無線タグからの前記返信信号であると認識することを特徴とする情報受信方法に存する。
【０００７】
【発明の実施の形態】
以下、本発明の実施の形態を図面に基づいて詳細に説明する。
【０００８】
図１は、本発明に係る情報受信システムの実施の形態の構成を示すブロック図であり、図２は、図１に示すデータ受信ユニットの構成を示すブロック図であり、図３は、図１に示すデータ受信ユニットが受信する呼び出し信号および返信信号の一例を示す図である。
【０００９】
本実施の形態は、携帯端末部１と、タグ呼び出しユニット２とからなり、タグ呼び出しユニット２から通路の点字ブロック部等に埋設された無線タグ３に対して呼び出し信号を発信し、無線タグ３からの返信信号を携帯端末部１により受信する。無線タグ３には、予め位置情報が登録されており、呼び出し信号に対応して位置情報を含む返信信号を発信する。なお、無線タグ３に登録されている位置情報は、位置情報そのものであっても、位置情報に対応する位置ＩＤであっても良い。また、無線タグ３には、有電源のタイプと無電源のタイプとが存在するが、いずれのタイプを用いても良い。
【００１０】
携帯端末部１は、ＰＤＡ（Personal Digital Assistants）等の携帯性を重視した個人用の情報端末であり、データ受信ユニット１１と、情報処理ユニット１２と、情報記憶部１３と、入力された音声を認識して情報記憶部１３に指示信号として出力する音声認識ユニット１４と、情報記憶部１３からの文字情報を音声として出力する音声合成ユニット１５とからなる。
【００１１】
タグ呼び出しユニット２は、無線タグ３からの位置情報を含む返信信号を要求する呼び出し信号を発信する。呼び出し信号の発信は、周期的に発信するように構成しても、何らかの信号を探知して必要なときのみに発信するように構成しても良い。タグ呼び出しユニット２は、呼び出し信号の発信のみを行う単機能であるため、小型化することができ、例えば、杖の先端部等に容易に装備することができる。また、タグ呼び出しユニット２から発信される呼び出し信号には、固有の識別ＩＤが含まれている。
【００１２】
データ受信ユニット１１は、信号受信部１１１と、呼び出し信号認識部１１２と、返信信号認識部１１３と、位置情報抽出部１１４とからなり、タグ呼び出しユニット２からの呼び出し信号および無線タグ３からの返信信号を受信して返信信号に含まれる位置情報を抽出する。
【００１３】
信号受信部１１１は、図示しないアンテナを介して常に無線信号を受信しており、受信した無線信号を呼び出し信号認識部１１２および返信信号認識部１１３に伝送する。信号受信部１１１でタグ呼び出しユニット２からの呼び出し信号と無線タグ３からの返信信号とを受信する場合には、図３に示すように、呼び出し信号に引き続く返信信号を受信することになる。
【００１４】
呼び出し信号認識部１１２は、信号受信部１１１により受信された無線信号の中から呼び出し信号を認識し、認識した呼び出し信号に含まれている識別ＩＤと登録ＩＤとが一致するか否かを判断し、識別ＩＤと登録ＩＤとが一致する場合に、認識した呼び出し信号に引き続く無線信号の取り込みを返信信号認識部１１３に指示する。なお、呼び出し信号の認識は、受信した無線信号が予め登録された呼び出し信号の信号パターンであるか否かを判別することにより行われる。
【００１５】
返信信号認識部１１３は、呼び出し信号認識部１１２の指示に基づいて呼び出し信号に引き続く無線信号を無線タグ３からの返信信号として認識する。返信信号認識部１１３は、呼び出し信号に引き続く無線信号が受信されるか否か、受信した無線信号が無線タグ３からの返信信号であるか否かを判断し、呼び出し信号に引き続く無線信号が受信されない場合、受信した無線信号が返信信号でない場合には、無線タグ３からの返信信号を受信できなかったことを知らせる信号を位置情報抽出部１１４に伝送する。
【００１６】
位置情報抽出部１１４は、返信信号認識部１１３により認識された返信信号に含まれている位置情報を抽出し、抽出した位置情報を情報処理ユニット１２に送信する。また、位置情報抽出部１１４は、返信信号認識部１１３から受信した無線タグ３からの返信信号を受信できなかったことを知らせる信号を情報処理ユニット１２に転送すると共に、返信信号から位置情報が抽出できなかった場合には、位置情報が抽出できなかったことを知らせる信号を情報処理ユニット１２に伝送する。
【００１７】
情報処理ユニット１２は、データ受信ユニット１１により抽出された位置情報に基づいて情報記憶部１３から案内情報を読み出して、読み出した案内情報を文字情報として音声合成ユニット１５に送信すると共に、音声認識ユニット１４からの指示情報に基づいて情報記憶部１３から各種情報を読み出す処理等を行う。
【００１８】
情報記憶部１３は、無線タグ３からの位置情報に対応する案内情報を記憶しており、例えば、無線タグ３が駅構内に埋設されている場合には、駅構内のホームや通路の情報、列車の情報、改札口の情報等の案内情報を記憶しておき、無線タグ３が列車内に配置されている場合には、列車の車両の情報、座席の情報、車内設備等の案内情報を記憶しておき、さらに、無線タグ３が一般道路等に埋設されている場合には、道路の情報、交差点の情報、ランドマーク等の案内情報を記憶しておく。また、情報記憶部１３には、案内情報以外に、利用者の名前、生年月日、電話番号（緊急連絡先）、血液型（事故時に有効）、性別（男性／女性）、障害の程度、利用駅、慣れている駅、運賃、指定席情報、利用駅構内および駅付近の地図情報、点字ブロックの敷設情報、友人等の情報等を適宜記憶させておくことができる。
【００１９】
次に、実施の形態の動作について図４および図５を参照して詳細に説明する。図４は、本発明に係る情報受信システムの実施の形態の動作を説明するためのフローチャートであり、図５は、本発明に係る情報受信システムを車イスに適用した実施例を示す図である。
【００２０】
タグ呼び出しユニット２は、固有の識別ＩＤを含んで呼び出し信号を発信する様に構成されており、自分が所有する杖等に装備するタグ呼び出しユニット２の識別ＩＤを、呼び出し信号認識部１１２に登録ＩＤとして予め登録しておき、他人が所有するタグ呼び出しユニット２からの呼び出し信号と、自分が所有するタグ呼び出しユニット２からの呼び出し信号とを区別する。
【００２１】
信号受信部１１１は、無線信号を常に受信しており、受信した無線信号がタグ呼び出しユニット２から定期的に発信されている呼び出し信号である場合には、呼び出し信号認識部１１２が呼び出し信号を認識する（ステップ１）。
【００２２】
呼び出し信号認識部１１２は、ステップ１で呼び出し信号を認識した場合には、認識した呼び出し信号に含まれている識別ＩＤと登録ＩＤとが一致するか否かを判断する（ステップ２）。呼び出し信号に含まれている識別ＩＤと登録ＩＤとが一致しない場合には、自分が所有する杖等に装備されているタグ呼び出しユニット２からの呼び出し信号でないため、ステップ１に戻り再度呼び出し信号を認識する。
【００２３】
ステップ２で呼び出し信号に含まれている識別ＩＤと登録ＩＤとが一致する場合には、自分が所有する杖等に装備されているタグ呼び出しユニット２からの呼び出し信号であり、自分（携帯端末部１）宛の呼び出し信号であると認識し、呼び出し信号認識部１１２は、認識した呼び出し信号に引き続く無線信号の取り込みを返信信号認識部１１３に指示し、返信信号認識部１１３は、呼び出し信号に引き続く無線信号が無線タグ３からの返信信号であると認識し、呼び出し信号に引き続く無線信号が受信されるか否か、受信した無線信号が無線タグ３からの返信信号であるか否かを判断する（ステップ３）。なお、返信信号であるか否かの判断は、予め登録されている返信信号のパターンに一致するか否かで判断される。
【００２４】
ステップ３で呼び出し信号に引き続く無線信号が受信され、受信した無線信号が無線タグ３からの返信信号である場合には、位置情報抽出部１１４は、返信信号の中から位置情報を抽出し（ステップ４）、ステップ３で呼び出し信号に引き続く無線信号が受信されない場合、受信した無線信号が返信信号でない場合には、無線タグ３からの返信信号を受信できなかったことを知らせる信号を位置情報抽出部１１４に伝送し、ステップ１に戻り再度呼び出し信号を認識する。
【００２５】
位置情報抽出部１１４は、ステップ４で返信信号から抽出された位置情報が正しい位置情報か否かを判別し（ステップ５）、抽出した位置情報が正しくないと判別された場合には、ステップ１に戻り再度呼び出し信号を認識し、抽出した位置情報が正しいと判別された場合には、抽出した位置情報を情報処理ユニット１２に送信し、情報処理ユニット１２は、位置情報に基づいて情報記憶部１３から案内情報を読み出し、読み出した案内情報を文字情報として音声合成ユニット１５に送信し、音声合成ユニット１５は、音声で案内情報を出力する（ステップ６）。
【００２６】
本実施の形態では、データ受信ユニット１１が受信する呼び出し信号と返信信号との周波数および変調方式が同じであることを前提として説明したが、呼び出し信号と返信信号との周波数もしくは変調方式が異なっている場合にもデータ受信ユニット１１を異なる周波数もしくは変調方式の信号に対応できるように変更することで、本発明が適用できることは明らかである。また、本実施の形態のデータ受信ユニット１１の構成は、一実施例であって、適宜異なる構成を採用することができることは明らかである。
【００２７】
本実施の形態においては、タグ呼び出しユニット２を杖の先端に装備するようにしたが、図５に示すように、タグ呼び出しユニット２を車イスの足置き部に装備し、通路の点字ブロック部に埋設された無線タグ３からの返信信号を受信させ、携帯端末部１を車イスに座った状態で操作しやすい場所に設置することもできる。
【００２８】
また、タグ呼び出しユニット２が発信する呼び出し信号に含まれる固有の識別ＩＤによって、自分が所有する携帯端末部１への返信信号を認識するように構成したが、無線タグ３に呼び出し信号に含まれる識別ＩＤを含んで返信信号を発信する機能を付加し、携帯端末部１で返信信号に含まれる識別ＩＤと登録ＩＤとが一致するか否かを判別することによって、返信信号が自分が所有する携帯端末部１への返信信号か否かを確実に判断することができる。
【００２９】
また、本実施の形態では、タグ呼び出しユニット２から呼び出し信号のみを発信し、無線タグ３からの返信信号に位置情報を含ませる構成としたが、タグ呼び出しユニット２からの呼び出し信号にタグ呼び出しユニット２の状態を知らせる状態通知信号等のその他の情報を含ませることができ、さらに、無線タグ３からの返信信号に位置情報以外の案内情報等を含ませることができる。なお、呼び出し信号および返信信号の周波数、変調方式等は、本発明の技術思想の範囲内において、適宜変更され得ることは明らかである。
【００３０】
以上説明したように、本実施の形態によれば、タグ呼び出しユニット２からの呼び出し信号を認識する呼び出し信号認識部１１２と、呼び出し信号に引き続く無線信号を返信信号として認識する返信信号認識部１１３とにより、受信した無線信号の中から無線タグ３からの返信信号を認識することができるため、無線タグ３への呼び出し信号を発信するタグ呼び出しユニット２と、無線タグ３からの返信信号を受信する携帯端末部１とを分離することができ、携帯性を向上することができるという効果を奏する。
【００３１】
さらに、本実施の形態によれば、タグ呼び出しユニット２からの固有の識別ＩＤを含んだ呼び出し信号を発信するように構成し、携帯端末部１で呼び出し信号に含まれる識別ＩＤと登録ＩＤとが一致した場合のみ返信信号を認識するようにしたため、自分に対する返信信号を確実に認識することができ、誤って他人のタグ呼び出しユニット２から発信された呼び出し信号に対する無線タグ３からの返信信号に基づいて案内を行うことがないという効果を奏する。
【００３２】
さらに、本実施の形態によれば、呼び出し信号に含まれる識別ＩＤを無線タグ３からの返信信号に含ませ、携帯端末部１で返信信号に含まれる識別ＩＤと登録ＩＤとが一致した場合のみ返信信号を認識するようにしたため、自分に対する返信信号をより確実に認識することができ、誤って他人のタグ呼び出しユニット２から発信された呼び出し信号に対する無線タグ３からの返信信号に基づいて案内を行うことがないという効果を奏する。
【００３３】
なお、本発明が上記各実施の形態に限定されず、本発明の技術思想の範囲内において、各実施の形態は適宜変更され得ることは明らかであり、無線タグが使われる様々なアプリケーションにおいて応用できることは、言うまでもない。また、上記構成部材の数、位置、形状等は上記実施の形態に限定されず、本発明を実施する上で好適な数、位置、形状等にすることができる。なお、各図において、同一構成要素には同一符号を付している。
【００３４】
【発明の効果】
本発明の情報受信システムは、タグ呼び出しユニットからの呼び出し信号を認識する呼び出し信号認識部と、呼び出し信号に引き続く無線信号を返信信号として認識する返信信号認識部とにより、受信した無線信号の中から無線タグからの返信信号を認識することができるため、無線タグへの呼び出し信号を発信するタグ呼び出しユニットと、無線タグからの返信信号を受信する携帯端末部とを分離することができ、携帯性を向上することができるという効果を奏する。
【００３５】
さらに、発明の情報受信システムは、タグ呼び出しユニットからの固有の識別ＩＤを含んだ呼び出し信号を発信するように構成し、携帯端末部で呼び出し信号に含まれる識別ＩＤと登録ＩＤとが一致した場合のみ返信信号を認識するようにしたため、自分に対する返信信号を確実に認識することができ、誤って他人のタグ呼び出しユニットから発信された呼び出し信号に対する無線タグからの返信信号に基づいて案内を行うことがないという効果を奏する。
【００３６】
さらに、発明の情報受信システムは、呼び出し信号に含まれる識別ＩＤを無線タグからの返信信号に含ませ、携帯端末部で返信信号に含まれる識別ＩＤと登録ＩＤとが一致した場合のみ返信信号を認識するようにしたため、自分に対する返信信号をより確実に認識することができ、誤って他人のタグ呼び出しユニットから発信された呼び出し信号に対する無線タグからの返信信号に基づいて案内を行うことがないという効果を奏する。
【図面の簡単な説明】
【図１】本発明に係る情報受信システムの実施の形態の構成を示すブロック図である。
【図２】図１に示すデータ受信ユニットの構成を示すブロック図である。
【図３】図１に示すデータ受信ユニットが受信する呼び出し信号および返信信号の一例を示す図である。
【図４】本発明に係る情報受信システムの実施の形態の動作を説明するためのフローチャートである。
【図５】本発明に係る情報受信システムを車イスに適用した実施例を示す図である。
【符号の説明】
１  携帯端末部
１１  データ受信ユニット
１１１  信号受信部
１１２  呼び出し信号認識部
１１３  返信信号認識部
１１４  位置情報抽出部
１２  情報処理ユニット
１３  情報記憶部
１４  音声認識ユニット
１５  音声合成ユニット
２  タグ呼び出しユニット
３  無線タグ
【図１】
0003809107.tif 000002
【図２】
0003809107.tif 000003
【図３】
0003809107.tif 000004
【図４】
0003809107.tif 000005
【図５】
0003809107.tif 000006